【手続補正書】
【提出日】平成31年4月18日(2019.4.18)
【手続補正１】
【補正対象書類名】特許請求の範囲
【補正対象項目名】全文
【補正方法】変更
【補正の内容】
【特許請求の範囲】
【請求項１】
バイオメトリック感知装置であって、
圧電セラミック要素のアレイと、
前記圧電セラミック要素のアレイを励起するための一組の電子機器であって、音響エネルギーのパルスを伝送するために構成され、当該パルスの各々は前記圧電セラミック要素のアレイ内の１つ以上の個別の伝送要素から伝送される、一組の電子機器と、
を備え、
前記パルスのうちの少なくとも２つのパルスは、それぞれ前記圧電セラミック要素のアレイ内の異なる伝送位置から伝送され、前記少なくとも２つのパルスの各々の伝送の開始が時間的にオフセットされることによって、前記少なくとも２つのパルスの各々が前記圧電セラミック要素のアレイに隣接する所定の空間内で同一の位置に同時に到達し、
前記パルスの音響エネルギーの少なくとも一部は、前記所定の空間内で反射音響エネルギーとして前記アレイ内の少なくとも２つの異なる受信位置に向けて方向を転じ、前記圧電セラミック要素のアレイ内の前記少なくとも２つの受信位置の各々と関連する前記反射音響エネルギーの振幅及び到達時間が測定されることによって、前記同一の位置から前記受信位置の各々に向けて方向を転じた反射音響エネルギーの量を決定する、バイオメトリック感知装置。
【請求項２】
前記一組の電子機器及び前記圧電セラミック要素のアレイは、前記要素の各々の動きによって音響エネルギーを生成し、第１の組のデータを取得するための第１のモードで動作可能であり、当該第１の組のデータは指の指紋部分の少なくとも１つの２次元画像をエンコードし、当該指紋部分は前記圧電セラミック要素のアレイと物理的に接触している、請求項１に記載のバイオメトリック感知装置。
【請求項３】
前記一組の電子機器は、前記圧電セラミック要素のアレイの動きによって音響エネルギーを生成し、第２の組のデータを取得するための第２のモードで動作可能であり、当該第２の組のデータは前記圧電セラミック要素のアレイと物理的に接触している前記指の内部に埋め込まれた組織内に位置する１つ以上の皮下組織構造の少なくとも１つの３次元表現をエンコードする、請求項２に記載のバイオメトリック感知装置。
【請求項４】
前記一組の電子機器はソフトウェアによって制御され、当該ソフトウェアは、バイオメトリックマーカーを識別し、前記指紋部分内に位置する前記バイオメトリックマーカーのうちの少なくとも１つと、前記１つ以上の皮下組織構造の内部に位置する前記バイオメトリックマーカーのうちの他の少なくとも１つとの間の相対的位置の定量的表現を記録するために構成されている、請求項３に記載のバイオメトリック感知装置。
【請求項５】
前記定量的表現はデカルト座標によって表される、請求項４に記載のバイオメトリック感知装置。
【請求項６】
前記定量的表現は前記バイオメトリックマーカー間の角度及び距離によって表される、請求項４に記載のバイオメトリック感知装置。
【請求項７】
前記第２の組のデータは、前記１つ以上の皮下組織構造の内部の骨構造を識別し、その位置を特定するために使用される、請求項３に記載のバイオメトリック感知装置。
【請求項８】
前記第２の組のデータは、前記１つ以上の皮下組織構造の動的特性を決定するために使用され、当該動的特性は経時的に変化する特性である、請求項３に記載のバイオメトリック感知装置。
【請求項９】
前記動的特性は、前記１つ以上の皮下組織構造の弾性特性を含む、請求項８に記載のバイオメトリック感知装置。
【請求項１０】
前記動的特性は、血管構造と関連するパルス波パターンの存在または量を測定するために使用される、請求項８に記載のバイオメトリック感知装置。
【請求項１１】
前記動的特性は、心拍の周波数を測定するために使用される、請求項８に記載のバイオメトリック感知装置。
【請求項１２】
前記動的特性は、血管構造を通って流れる血液の存在または量を測定するために使用される、請求項８に記載のバイオメトリック感知装置。
【請求項１３】
バイオメトリック情報を感知する方法であって、
圧電セラミック要素のアレイを提供する工程と、
前記圧電セラミック要素のアレイを励起するための一組の電子機器であって、音響エネルギーのパルスを伝送するために構成された一組の電子機器を提供する工程と、
前記パルスのうちの少なくとも２つを前記圧電セラミック要素のアレイ内の異なる伝送位置から伝送する工程であって、前記パルスのうちの少なくとも２つの各々の伝送の開始が時間的にオフセットされることによって、前記パルスのうちの少なくとも２つの各々が前記圧電セラミック要素のアレイに隣接する所定の空間内で同一の位置に同時に到達する、工程と、
前記パルスの音響エネルギーの少なくとも一部を受信する工程であって、前記パルスの音響エネルギーの少なくとも一部は、前記所定の空間内で反射音響エネルギーとして前記圧電セラミック要素のアレイ内の少なくとも２つの異なる受信位置に向けて方向を転じる、工程と、
前記圧電セラミック要素のアレイ内の前記少なくとも２つの受信位置の各々と関連する前記反射音響エネルギーの振幅及び到達時間を測定することによって、前記同一の位置から前記少なくとも２つの受信位置の各々に向けて方向を転じた反射音響エネルギーの量を決定する、工程と、
を備える方法。
【請求項１４】
前記一組の電子機器及び前記圧電セラミック要素のアレイは、前記要素の各々の動きによって音響エネルギーを生成し、第１の組のデータを取得するための第１のモードで動作可能であり、当該第１の組のデータは指の指紋部分の少なくとも１つの２次元画像をエンコードし、当該指紋部分は前記圧電セラミック要素のアレイと物理的に接触している、請求項１３に記載の方法。
【請求項１５】
前記一組の電子機器は、前記圧電セラミック要素のアレイの動きによって音響エネルギーを生成し、第２の組のデータを取得するための第２のモードで動作可能であり、当該第２の組のデータは前記圧電セラミック要素のアレイと物理的に接触している前記指の内部に埋め込まれた組織内に位置する１つ以上の皮下組織構造の少なくとも１つの３次元表現をエンコードする、請求項１４に記載の方法。
【請求項１６】
前記一組の電子機器はソフトウェアによって制御され、当該ソフトウェアは、バイオメトリックマーカーを識別し、前記指紋部分内に位置する前記バイオメトリックマーカーのうちの少なくとも１つと、前記１つ以上の皮下組織構造の内部に位置する前記バイオメトリックマーカーのうちの他の少なくとも１つとの間の相対的位置の定量的表現を記録するために構成されている、請求項１５に記載の方法。
【請求項１７】
前記定量的表現はデカルト座標によって表される、請求項１６に記載の方法。
【請求項１８】
前記定量的表現は前記バイオメトリックマーカー間の角度及び距離によって表される、請求項１６に記載の方法。
【請求項１９】
前記第２の組のデータは、前記１つ以上の皮下組織構造の内部の骨構造を識別し、その位置を特定するために使用される、請求項１５に記載の方法。
【請求項２０】
前記第２の組のデータは、前記１つ以上の皮下組織構造の動的特性を決定するために使用され、当該動的特性は経時的に変化する特性である、請求項１５に記載の方法。
【請求項２１】
前記動的特性は、前記１つ以上の皮下組織構造の弾性特性を含む、請求項２０に記載の方法。
【請求項２２】
前記動的特性は、血管構造と関連するパルス波パターンの存在または量を測定するために使用される、請求項２０に記載の方法。
【請求項２３】
前記動的特性は、心拍の周波数を測定するために使用される、請求項２０に記載の方法。
【請求項２４】
前記動的特性は、血管構造を通って流れる血液の存在または量を測定するために使用される、請求項２０に記載の方法。